Podtech/llm-jp-corpus-v4-ja_patent huggingface dataset:
【手続補正書】
【提出日】平成23年7月22日(2011.7.22)
【手続補正１】
【補正対象書類名】特許請求の範囲
【補正対象項目名】全文
【補正方法】変更
【補正の内容】
【特許請求の範囲】
【請求項１】
製紙プロセスにおいて保水及び排水を改善する方法あって、当該方法が、任意の順序で：
（ａ）有効量の微粒子であって、任意にシリカ材料である微粒子と；
（ｂ）有効量の促進剤又は相乗的に有効量の促進剤であって、改質ジアリル−Ｎ，Ｎ−二置換アンモニウムハライドポリマーを含む促進剤と；
（ｃ）任意に、有効量の凝縮剤又は相乗的に有効量の凝縮剤であって、少なくとも約３ｄＬ／ｇのＲＳＶ（還元比粘度）を有する１又はそれ以上の高分子量の、水溶性のカチオン、アニオン、非イオン、双性イオン、又は両性のポリマーを含む凝縮剤と；
を製紙用完成紙料に加えるステップを具えることを特徴とする方法。
【請求項２】
製紙用完成紙料に加えられるシリカの微粒子を活性化させる方法であって、前記微粒子が、約７００ｍ２／ｇ乃至約１１００ｍ２／ｇの表面積及び約２０乃至約５０のＳ値を有しており、前記方法が：
（ａ）前記製紙用完成紙料に有効量の促進剤を加えるステップであって、前記促進剤が、約１乃至約９９モルパーセントのカチオン電荷を有する改質ジアリル−Ｎ，Ｎ−二置換アンモニウムハライドポリマーを含むステップと；
（ｂ）任意に、前記製紙用完成紙料に相乗的に有効量の凝縮剤を加えるステップであって、前記凝集剤が、少なくとも約３ｄＬ／ｇのＲＳＶを有する１又はそれ以上の高分子量の、水溶性のカチオン、アニオン、非イオン、双性イオン、又は両性のポリマーを含み、前記凝集剤が、ジメチルアミノエチルアクリレートメチルクロリド第４級塩−アクリルアミド共重合体及びアクリル酸ナトリウム−アクリルアミド共重合体及び加水分解したポリアクリルアミドポリマーから成る群から選択されるステップと；
を具えることを特徴とする方法。
【請求項３】
製紙用完成紙料における保水及び排水を改善するための組成物であって、当該組成物が：
（ａ）約７００ｍ２／ｇ乃至約１１００ｍ２／ｇの表面積及び約２０乃至約５０のＳ値を有するシリカの微粒子と；
（ｂ）約１乃至約９９のモルパーセントのカチオン電荷を有する改質ジアリル−Ｎ，Ｎ−二置換アンモニウムハライドポリマーを含む促進剤と；
（ｃ）任意に、少なくとも約３ｄＬ／ｇのＲＳＶを有する１又はそれ以上の高分子量の、水溶性のカチオン、アニオン、非イオン、双性イオン、又は両性のポリマーを含む凝集剤と；
を含むことを特徴とする組成物。
【手続補正書】
【提出日】平成23年7月20日(2011.7.20)
【手続補正１】
【補正対象書類名】特許請求の範囲
【補正対象項目名】全文
【補正方法】変更
【補正の内容】
【特許請求の範囲】
【請求項１】
治療的有効量のα-L-イデュロニダーゼ(IDUA)活性を有する融合抗体を対象に全身投与することを含む、中枢神経系のIDUA欠損症を治療する必要がある対象の中枢神経系のIDUA欠損症の治療方法に用いるIDUA活性を有する融合抗体であって、
(i) 治療的有効量の少なくとも約0.5%が脳に送達され、
(ii) 該融合抗体が、免疫グロブリン重鎖とIDUAのアミノ酸配列を含む融合タンパク質、または免疫グロブリン軽鎖とIDUAのアミノ酸配列を含む融合タンパク質を含み、
ヒトインスリンレセプターの細胞外ドメインと結合し、デルマタン硫酸中の非硫酸化α-L-イデュロノシド結合の加水分解を触媒し、
(iii) IDUAのアミノ酸配列が免疫グロブリン重鎖または免疫グロブリン軽鎖のアミノ酸配列のカルボキシ末端に共有結合する、融合抗体。
【請求項２】
治療的有効量が少なくとも約1 x 106単位のIDUA活性または少なくとも約140,000単位/Kg体重である請求項1記載の融合抗体。
【請求項３】
該融合抗体のIDUA特異活性が少なくとも200,000単位/mgである請求項1記載の融合抗体。
【請求項４】
全身投与が、非経口的、静脈内、皮下、筋肉内、経鼻、動脈内、経皮、または経気道的である請求項1記載の融合抗体。
【請求項５】
該融合抗体がキメラ抗体である請求項1記載の融合抗体。
【請求項６】
免疫グロブリン重鎖が、4個以下の単一アミノ酸突然変異を有する配列番号1のアミノ酸配列に対応するCDR1、6個以下の単一アミノ酸突然変異を有する配列番号2のアミノ酸配列に対応するCDR2、または3個以下の単一アミノ酸突然変異を有する配列番号3のアミノ酸配列に対応するCDR3を含み、単一アミノ酸突然変異が置換、欠失、または挿入である請求項1記載の融合抗体。
【請求項７】
免疫グロブリン軽鎖が、3個以下の単一アミノ酸突然変異を有する配列番号4のアミノ酸配列に対応するCDR1、5個以下の単一アミノ酸突然変異を有する配列番号5のアミノ酸配列に対応するCDR2、または5個以下の単一アミノ酸突然変異を有する配列番号6のアミノ酸配列に対応するCDR3を含み、単一アミノ酸突然変異が置換、欠失、または挿入である請求項1記載の融合抗体。
【請求項８】
重鎖免疫グロブリンのアミノ酸配列が配列番号7と少なくとも90%同一であり、軽鎖免疫グロブリンのアミノ酸配列が配列番号8と少なくとも90%同一である請求項7記載の融合抗体。
【請求項９】
IDUAが配列番号9と少なくとも90%同一なアミノ酸を含む請求項1記載の融合抗体。
【請求項１０】
治療的有効量のα-L-イデュロニダーゼ(IDUA)活性を有する融合抗体を対象に全身投与することを含む、中枢神経系のIDUA欠損症を治療する必要がある対象の中枢神経系のIDUA欠損症の治療方法に使用するためのIDUA活性を有する融合抗体であって、
(i) 治療的有効量の少なくとも約0.5%が脳に送達され、
(ii) 該融合抗体が (a)配列番号10と少なくとも95％同一な融合タンパク質、および(b) 免疫グロブリン軽鎖を含み、
(iii)該融合抗体がヒトインスリンレセプターの細胞外ドメインと結合し、デルマタン硫酸中の非硫酸化α-L-イデュロノシド結合の加水分解を触媒する、融合抗体。
【請求項１１】
該治療的有効量が、少なくとも約1 x 106単位のIDUA活性、または少なくとも約140,000単位のIDUA活性/Kg体重を含む請求項10記載の融合抗体。
【請求項１２】
該融合抗体のIDUA特異活性が少なくとも約200,000単位/mgである請求項10記載の融合抗体。
【請求項１３】
該全身投与が、非経口的、静脈内、皮下、筋肉内、経鼻、動脈内、経皮、または経気道的である請求項10記載の方法。
【請求項１４】
該融合抗体がキメラ抗体である請求項10記載の融合抗体。
【請求項１５】
該免疫グロブリン軽鎖が、3個以下の単一アミノ酸突然変異を有する配列番号4のアミノ酸配列に対応するCDR1、5個以下の単一アミノ酸突然変異を有する配列番号5のアミノ酸配列に対応するCDR2、または5個以下の単一アミノ酸突然変異を有する配列番号6のアミノ酸配列に対応するCDR3を含み、単一アミノ酸突然変異が置換、欠失、または挿入である請求項10記載の融合抗体。
【手続補正書】
【提出日】平成23年7月14日(2011.7.14)
【手続補正１】
【補正対象書類名】特許請求の範囲
【補正対象項目名】全文
【補正方法】変更
【補正の内容】
【特許請求の範囲】
【請求項１】
構造:
【化１】
2010534722.tif 000001
［式中、Qは、
【化２】
2010534722.tif 000002
であり、
R2は、Y-Z-であり;
Zは、Oまたは直結であり;
Yは、C1-6アルキル-Z1-、アリール-Z1-、ヘテロシクリル-Z1-、またはヘテロアリール-Z1-であり、ここでZ1は直結であり;
ここで、各Yは独立して、最大3個のR12基で適宜置換されており;
各R12は独立して、ハロゲン、-CH3-aFa、CN、NO2、NH2、C1-6アルキル、OC1-6アルキル、-COOH、OH、アリールオキシ、ヘテロアリールオキシ、ヘテロシクリルオキシ、-S-R10、-S(O)-R10、-SO2R9、-SO2NR7R8、-NR7R8、-CO2R9、-C(O)N7R8、N-結合アミド(-NR7C(O)R8)、N-結合スルホンアミド(-NR9SO2R10)、N-結合カルバメート(-NR8CO2R10)、O-結合カルバメート(-OCONR7R8)、N-結合ウレア(-NR9C(O)NR7R8)、-(CH2)p-PO(OR7)(OR8)、-(CH2)p-PO(OR7)R8、-(CH2)p-O-PO(OR7)R8、-(CH2)pO-PO-(R7)R8、-(CH2)p-P(O)R7R8、アリール、ヘテロアリール、またはヘテロシクリルから選択され;
R3は、
【化３】
2010534722.tif 000003
であり;
R6はHであり;
R7およびR8(各々、どの基の一部であっても)は同一であるかまたは異なっており、独立して、H、アルキル、シクロアルキル、アリール、アリールアルキル、ヘテロアリール、またはヘテロアリールアルキルから選択されるか、あるいはR7およびR8は一緒に環化して3-から7-員ヘテロ環を形成し;
R9(どの基の一部であっても)は独立して、H、アルキル、アリール、またはアリールアルキルから選択され;
R10(どの基の一部であっても)は独立して、アルキル、アリール、ヘテロアリール、アラルキル、またはヘテロアリールアルキルから選択され;
各aは、1、2、3から独立して選択される整数であり;
pは、0、1または2から独立して選択される整数である］
を有する化合物またはそのエナンチオマーもしくはジアステレオマーを含む全ての立体異性体、あるいはそれらの医薬的に許容される塩。
【請求項２】
該R1環が窒素含有の5-または6-員単環式ヘテロアリール環である請求項１に記載の化合物またはそのエナンチオマーもしくはジアステレオマーを含む全ての立体異性体、あるいはそれらの医薬的に許容される塩。
【請求項３】
該R2基が、
【化４】
2010534722.tif 000004
またはCF3である請求項１に記載の化合物またはそのエナンチオマーもしくはジアステレオマーを含む全ての立体異性体、あるいはそれらの医薬的に許容される塩。
【請求項４】
R1が、
【化５】
2010534722.tif 000005
であり、
R2が、
【化６】
2010534722.tif 000006
であり;
R3が、
【化７】
2010534722.tif 000007
であり;そして、
R6がHである、
請求項１に記載の化合物またはそのエナンチオマーもしくはジアステレオマーを含む全ての立体異性体、あるいはそれらの医薬的に許容される塩。
【請求項５】
該化合物が、
【化８】
2010534722.tif 000008
である請求項１に記載の化合物またはそのエナンチオマーもしくはジアステレオマーを含む全ての立体異性体、あるいはそれらの医薬的に許容される塩。
【請求項６】
請求項１から５のいずれか１つに記載の化合物またはそのエナンチオマーもしくはジアステレオマーを含む全ての立体異性体、あるいはそれらの医薬的に許容される塩、および医薬的に許容されるその担体を含有する、グルコキナーゼ活性化薬療法が必要とされる疾患の治療、予防、または進行の遅延のための医薬組成物。
【請求項７】
別の治療薬をさらに含有する請求項６に記載の医薬組成物であって、該治療薬が抗糖尿病薬、抗高血糖薬、抗高インスリン薬、抗網膜症薬、抗神経障害薬、抗腎障害薬、抗アテローム性動脈硬化薬、抗感染症薬、抗虚血薬、抗高血圧症薬、抗肥満症薬、抗脂質異常症薬、抗高脂血症薬、抗高トリグリセリド血症薬、抗高コレステロール血症薬、抗虚血薬、抗癌薬、抗細胞傷害薬、抗再狭窄薬、膵臓治療薬、脂質低下薬、食欲抑制薬、記憶増強薬、または認知薬である、該医薬組成物。
【請求項８】
該疾患が、糖尿病、高血糖症、耐糖能障害、インスリン耐性、高インスリン血症、網膜症、神経障害、腎障害、創傷治癒の遅延、アテローム性動脈硬化症もしくはその続発症、心機能の異常、心筋虚血、脳卒中、メタボリックシンドローム、高血圧症、肥満症、脂質異常症、高脂血症、高トリグリセリド血症、高コレステロール血症、低HDL、高LDL、非心虚血、感染症、癌、血管再狭窄、膵炎、神経変性疾患、脂質障害、認知障害もしくは認知症、骨疾患、HIVプロテアーゼ関連リポジストロフィー、または緑内障である、請求項６もしくは７に記載の医薬組成物。
【請求項９】
酵素グルコキナーゼを活性化するための、請求項６もしくは７に記載の医薬組成物。
【請求項１０】
II型糖尿病の治療のための、請求項６もしくは７に記載の医薬組成物。
【請求項１１】
治療上有効な量の請求項１から５のいずれか１つに記載の化合物またはそのエナンチオマーもしくはジアステレオマーを含む全ての立体異性体、あるいはそれらの医薬的に許容される塩と、少なくとも１つの他の治療薬を組み合わせて含む、グルコキナーゼ活性化薬療法が必要とされる疾患の治療、予防、または進行の遅延のための剤であって、該治療薬が抗糖尿病薬、抗高血糖薬、抗高インスリン薬、抗網膜症薬、抗神経障害薬、抗腎障害薬、抗アテローム性動脈硬化薬、抗感染症薬、抗虚血薬、抗高血圧症薬、抗肥満症薬、抗脂質異常症薬、抗高脂血症薬、抗高トリグリセリド血症薬、抗高コレステロール血症薬、抗虚血薬、抗癌薬、抗細胞傷害薬、抗再狭窄薬、膵臓治療薬、脂質低下薬、食欲抑制薬、記憶増強薬、または認知薬である、該剤。
【請求項１２】
該疾患が、糖尿病、高血糖症、耐糖能障害、インスリン耐性、高インスリン血症、網膜症、神経障害、腎障害、創傷治癒の遅延、アテローム性動脈硬化症もしくはその続発症、心機能の異常、心筋虚血、脳卒中、メタボリックシンドローム、高血圧症、肥満症、脂質異常症、高脂血症、高トリグリセリド血症、高コレステロール血症、低HDL、高LDL、非心虚血、感染症、癌、血管再狭窄、膵炎、神経変性疾患、脂質障害、認知障害もしくは認知症、骨疾患、HIVプロテアーゼ関連リポジストロフィー、または緑内障である、請求項１１に記載の剤。
【手続補正書】
【提出日】平成23年7月1日(2011.7.1)
【手続補正１】
【補正対象書類名】特許請求の範囲
【補正対象項目名】全文
【補正方法】変更
【補正の内容】
【特許請求の範囲】
【請求項１】
ファイバー又はファイバーフリースからなる担体を含む、オレフィン類の重合用担持触媒系であり、ここで、平均ファイバー直径が１０００ｎｍ未満、好ましくは、５００ｎｍ未満であり、平均ファイバー長さが２００，０００ｎｍを超え、好ましくは、５００，０００ｎｍを超え、そして、特に好ましくは、１，０００，０００ｎｍを超え、ファイバー又はファイバーフリースを電界紡糸により製造することを特徴とする、オレフィン類の重合用担持触媒系。
【請求項２】
ファイバーを可溶性ポリマーの電界紡糸により製造されるポリマーから製造することを特徴とする、請求項１に記載の担持触媒系。
【請求項３】
可溶性ポリマーを、有機、無機又は有機／無機化合物からなる群から選択することを特徴とする、請求項２に記載の担持触媒系。
【請求項４】
可溶性ポリマーを、ポリビニルアルコール、ビニルアルコールコポリマー類、ビニルピロリドンホモポリマー類及びコポリマー類、メタクリル酸ホモポリマー類、及びコポリマー類、ポリサッカリド類からなる群から選択することを特徴とする請求項３に記載の担持触媒系。
【請求項５】
ナノファイバー担体に担持された、少なくとも１種の有機金属化合物をさらに含み、ここで、金属を元素の周期表の主族から選択する、請求項１〜３のいずれかに記載の担持触媒系。
【請求項６】
各有機金属化合物が、独立して、式（I）の有機金属化合物類、式（ＩＩ）のアルミノキサン化合物類及び式（ＩＩＩ）のアルミノオキサン化合物類から選択されることを特徴とし、ここで、化合物は下記のように定義：すなわち、
有機金属化合物が、式（Ｉ）
【化１】
2010534749.tif 000001
の化合物であり、式中、Ｍ１は、元素の周期表の主族の元素、好ましくは、アルカリ金属、アルカリ土類金属又は周期表の１３族金属、すなわち、ホウ素、アルミニウム、ガリウム、インジウム若しくはタリウムであり、
Ｒ１１は、水素、Ｃ１−Ｃ１０−アルキル、Ｃ６−Ｃ１５−アリール、ハロ−Ｃ１−Ｃ１０−アルキル、ハロ−Ｃ６−Ｃ１５−アリール、Ｃ７−Ｃ４０−アリールアルキル、Ｃ７−Ｃ４０−アルキルアリール、Ｃ１−Ｃ１０−アルコキシ又はハロ−Ｃ７−Ｃ４０−アルキルアリール、ハロ−Ｃ７−Ｃ４０−アリールアルキル若しくはハロ−Ｃ１−Ｃ１０−アルコキシであり、
Ｒ１２及びＲ１３は、各々、水素、ハロゲン、Ｃ１−Ｃ１０−アルキル、Ｃ６−Ｃ１５−アリール、ハロ−Ｃ１−Ｃ１０−アルキル、ハロ−Ｃ６−Ｃ１５−アリール、Ｃ７−Ｃ４０−アリールアルキル、Ｃ７−Ｃ４０−アルキルアリール、Ｃ１−Ｃ１０−アルコキシ又はハロ−Ｃ７−Ｃ４０−アルキルアリール、ハロ−Ｃ７−Ｃ４０−アリールアルキル若しくはハロ−Ｃ１−Ｃ１０−アルコキシであり、
ｒは、１〜３の整数であり、そして
ｓ及びｔは、０〜２の整数であり、ｒ＋ｓ＋ｔの総計はＭ１の価数である、
アルミノキサン化合物が、一般式（ＩＩ）又は（ＩＩＩ）
【化２】
2010534749.tif 000002
【化３】
2010534749.tif 000003
の化合物であり、式中、Ｒ２１−Ｒ２４は、各々互いに独立して、Ｃ１−Ｃ６−アルキル基であり、好ましくは、メチル、エチル、ブチル又はイソブチル基であり、ｌは１〜４０、好ましくは、４〜２５の整数である、請求項５に記載の担持触媒系。
【請求項７】
ナノファイバー担体が、遷移金属化合物でさらに添加されている、請求項５に記載の担持触媒系。
【請求項８】
請求項１〜７のいずれかに記載の触媒系の存在下でオレフィンを重合することを特徴とする、ポリオレフィンナノコンポジットの製造法。
【請求項９】
ナノファイバー又はナノファイバーフリースを含む、請求項８に記載の方法により得られたポリオレフィンナノコンポジット。
【請求項１０】
１０００ｎｍ未満の平均ファイバー直径有するファイバーからなるナノファイバー又はナノファイバーフリースを含む、請求項９に記載のポリオレフィンナノコンポジット。
【請求項１１】
ポリオレフィンの極限粘度が４ｄｌ／ｇを超える、好ましくは、６ｄｌ／ｇを超える、そして、特に好ましくは８ｄｌ／ｇを超える、請求項９又は１０に記載のポリオレフィンナノコンポジット。
【請求項１２】
請求項１１に記載のポリオレフィンナノコンポジット及び少なくとも１種の別のポリオレフィンを含むブレンド。
【手続補正２】
【補正対象書類名】明細書
【補正対象項目名】０００７
【補正方法】変更
【補正の内容】
【０００７】
ナノファイバーの直径は１０００ｎｍ未満であり、当該ファイバーの長さは少なくとも２００．０００ｎｍである。好ましくは、ナノファイバーの直径は５００ｎｍ未満であり、当該ファイバーの長さは少なくとも５００．０００ｎｍであり、特に、好ましくは、ナノファイバーの直径は５０〜３００ｎｍであり、当該ファイバーの長さは１０００．０００ｎｍを超える。好ましくは、当該ファイバーは、いわゆる、エンドレスファイバーである。ファイバー又はファイバーフリースを電界紡糸(electrospinning)により製造する。
【手続補正書】
【提出日】平成23年6月23日(2011.6.23)
【手続補正１】
【補正対象書類名】特許請求の範囲
【補正対象項目名】全文
【補正方法】変更
【補正の内容】
【特許請求の範囲】
【請求項１】
フルオロケミカルウレタンであって、
ａ）ポリイソシアネートと、
ｂ）イソシアネート反応性ペルフルオロポリエーテル化合物と、
ｃ）式：
【化１】
2010534742.tif 000001
（式中、
Ｘが、Ｈ、又は反応開始剤の残基であり、
Ｍ１が、側鎖シリル基を有する（メタ）アクリレートモノマーの残基であり、
Ｍ２が、（メタ）アクリレートエステルモノマーの残基であり、
Ｒ３が、二価のアルキレン基若しくはアリーレン基、又はこれらの組み合わせであり、前記アルキレン基が１個以上のカテナリー酸素原子を含有してもよく、
Ｘ３が、−Ｏ−、−Ｓ−、又は−ＮＲ４−（式中、Ｒ４が、Ｈ又はＣ１〜Ｃ４アルキルである）であり、
ａが、少なくとも２であり、ｂが、０であってよく、ａ＋ｂが、２〜２０である）
で表されるオリゴマーと、
ｄ）任意にイソシアネート反応性化合物と、
の反応生成物を含む、フルオロケミカルウレタン。
【請求項２】
イソシアネート反応性シラン化合物をさらに含む、請求項１に記載のフルオロケミカルウレタンであって、
前記イソシアネート反応性シランが、式：
【化２】
2010534742.tif 000002
（式中、
Ｘ６が、−Ｏ−、−Ｓ−又は−ＮＲ５−（式中、Ｒ５が、Ｈ、Ｃ１〜Ｃ４アルキル又は−Ｒ６−Ｓｉ（Ｙｐ）（Ｒ７）３−ｐである）であり、
Ｒ６が、二価のアルキレン基であり、前記アルキレン基が１個以上のカテナリー酸素原子を含有してもよく、
Ｙが、加水分解性基であり、
Ｒ７が、一価のアルキル基又はアリール基であり、
ｐが、１、２又は３である）
で表される、フルオロケミカルウレタン。
【請求項３】
前記イソシアネート反応性ペルフルオロポリエーテル化合物が、式：
Ｒｆ１−［Ｑ−Ｘ２−Ｈ］ｚ
（式中、
Ｒｆ１が、一価のペルフルオロオキシアルキル基又は二価のペルフルオロオキシアルキレン基であり、
Ｑが、共有結合、又は価数ｚの多価アルキレン基であり、前記アルキレンが１個以上のカテナリー酸素原子を含有してもよく、
Ｘ２が、−Ｏ−、−ＮＲ４−又は−Ｓ−（式中、Ｒ４が、Ｈ又はＣ１〜Ｃ４のアルキルである）であり、
ｚが、１又は２である）
で表される、請求項１のフルオロケミカルウレタン。
【請求項４】
Ｒｆ１が、一価のペルフルオロオキシアルキル基、又は−（ＣｎＦ２ｎＯ）−、−（ＣＦ（Ｚ）Ｏ）−、−（ＣＦ（Ｚ）ＣｎＦ２ｎＯ）−、−（ＣｎＦ２ｎＣＦ（Ｚ）Ｏ）−、−（ＣＦ２ＣＦ（Ｚ）Ｏ）−、及びこれらの組み合わせからなる群から選択される１つ以上のペルフルオロ化された反復単位を含む二価のペルフルオロオキシアルキレン基
（式中、ｎが、１〜４であり、Ｚが、ペルフルオロアルキル基、ペルフルオロアルコキシ基、又はペルフルオロオキシアルキル基である）
である、請求項３に記載のフルオロケミカルウレタン。
【請求項５】
Ｒｆ１が、式：
Ｗ−Ｒｆ３−Ｏ−Ｒｆ４−（Ｒｆ５）ｑ−
（式中、
Ｗが、一価のペルフルオロオキシアルキルについてはＦであり、二価のペルフルオロオキシアルキレンについては開放原子価（「−」）であり、
Ｒｆ３が、ペルフルオロアルキレン基を表し、
Ｒｆ４が、１、２、３若しくは４個の炭素原子を有するペルフルオロオキシアルキレン基又はこのようなペルフルオロオキシアルキレン基の混合物からなる、ペルフルオロアルキレンオキシ基を表し、
Ｒｆ５が、ペルフルオロアルキレン基を表し、
ｑが、０又は１である）
の基を含む、請求項３に記載のフルオロケミカルウレタン。
【請求項６】
前記ペルフルオロオキシアルキレン基が、−［ＣＦ２−ＣＦ２−Ｏ］ｒ−、−［ＣＦ（ＣＦ３）−ＣＦ２−Ｏ］ｓ−、−［ＣＦ２ＣＦ２−Ｏ］ｒ−［ＣＦ２Ｏ］ｔ−、−［ＣＦ２ＣＦ２ＣＦ２ＣＦ２−Ｏ］ｕ及び−［ＣＦ２−ＣＦ２−Ｏ］ｒ−［ＣＦ（ＣＦ３）−ＣＦ２−Ｏ］ｓ−  （式中、ｒ、ｓ、ｔ及びｕのそれぞれが、１〜５０の整数である）
のうちの１つ以上から選択される、請求項３に記載のフルオロケミカルウレタン。
【請求項７】
−ＮＨ−Ｃ（Ｏ）−Ｘ３−基に対するシラン基のモル比が、１を超える
（式中、Ｘ３が、−Ｏ−、−Ｓ−又は−ＮＲ４−（式中、Ｒ４が、Ｈ又はＣ１〜Ｃ４アルキルである）である）、
請求項１に記載のフルオロケミカルウレタン。
【請求項８】
前記イソシアネート基の５〜５０モル％が、前記ペルフルオロポリエーテル化合物と反応し、前記イソシアネート基の５０〜９５モル％が、前記オリゴマーと反応する、請求項１に記載のフルオロケミカルウレタン。
【請求項９】
式：
【化３】
2010534742.tif 000003
（式中、
Ｒｆが、一価のペルフルオロオキシアルキル含有基又は二価のペルフルオロオキシアルキレン含有基であり、
Ｒ１が、ポリイソシアネートの残基であり、
Ｒ２が、シラン含有（メタ）アクリレートオリゴマーであり、
Ｒ８が、イソシアネート反応性シラン化合物の残基であり、
ｗが、０であってよく、ｘ及びｙが、それぞれ独立して、少なくとも１であり、ｚが、１又は２である）
で表される、フルオロケミカル化合物。
【請求項１０】
Ｒ２が、式：
【化４】
2010534742.tif 000004
（式中、
Ｘが、Ｈ、又は反応開始剤の残基であり、
Ｍ１が、側鎖シリル基を有する（メタ）アクリレートモノマーの残基であり、
Ｍ２が、（メタ）アクリレートエステルモノマーの残基であり、
Ｒ３が、多価のアルキレン基若しくはアリーレン基、又はこれらの組み合わせであり、前記アルキレン基が１個以上のカテナリー酸素原子を含有してもよく、
Ｘ３が、−Ｏ−、−Ｓ−又は−ＮＲ４−（式中、Ｒ４が、Ｈ又はＣ１〜Ｃ４のアルキルである）である）
で表される、請求項９に記載の化合物。
【請求項１１】
Ｒ８が、式：
【化５】
2010534742.tif 000005
（式中、
Ｘ６が、−Ｏ−、−Ｓ−又は−ＮＲ５−（式中、Ｒ５が、Ｈ、Ｃ１〜Ｃ４アルキル又は−Ｒ６−Ｓｉ（Ｙｐ）（Ｒ７）３−ｐである）であり、
Ｒ６が、二価のアルキレン基であり、前記アルキレン基が１個以上のカテナリー酸素原子を含有してもよく、
Ｙが、加水分解性基であり、
Ｒ７が、一価のアルキル又はアリール基であり、
ｐが、１、２又は３である）
で表される、請求項９に記載のフルオロケミカル化合物。
【請求項１２】
（Ｒｆ）ｘが、式：
【化６】
2010534742.tif 000006
（式中、
Ｒｆ１が、一価のペルフルオロオキシアルキル基又は二価のペルフルオロオキシアルキレン基であり、
Ｑが、共有結合、又は価数ｚの多価アルキレン基であり、前記アルキレンが１個以上のカテナリー酸素原子を含有してもよく、
Ｘ２が、−Ｏ−、−ＮＲ４−又は−Ｓ−（式中、Ｒ４が、Ｈ又はＣ１〜Ｃ４のアルキルである）であり、
ｚが、１又は２である）
で表される、請求項９に記載のフルオロケミカル化合物。
【手続補正書】
【提出日】平成23年7月22日(2011.7.22)
【手続補正１】
【補正対象書類名】特許請求の範囲
【補正対象項目名】全文
【補正方法】変更
【補正の内容】
【特許請求の範囲】
【請求項１】
ｉ）ａ）分子あたり３〜１０個のイソシアネート基を含む脂肪族または脂環式ポリイソシアネート；ｂ）１つのアルコキシ末端ポリオキシエチレンおよび／またはポリオキシプロピレン鎖を含む少なくとも１種の１，３−または１，２−非イオン性ジオールの反応から得られる、３０〜９９重量％の１種または２種以上の非イオン性親水性ポリイソシアネート；
ｉｉ）１〜２０重量％、好ましくは５〜１５重量％の、式
［ＲＯ−（ＣＨ２ＣＨ２Ｏ）ｓ］ｔＰ（＝Ｏ）−（ＯＨ）３−ｔ
式中、Ｒは４〜２０個の炭素原子を有する飽和のまたは不飽和の直鎖状または分枝状アルキル基であり、ｓは２〜２０の数であり、ｔは１または２である、
を有する１種または２種以上の酸型エトキシル化アルコールホスフェート；
ｉｉｉ）水と混和可能な０〜５０重量％の有機溶媒
を含む、組成物。
【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
ＷＡＮリンクを介するトラフィックを最適化するための、ブランチ及びハブネットワークのサブネット内のネットワーク終端によって実行される方法であって、
セキュアストリームとして暗号化される予定のアウトバウンドトラフィックを、暗号化される前に傍受するステップと、
前記傍受されたトラフィックを、前記ネットワーク終端にキャッシュされているデータを使用して圧縮するステップであって、前記データが、少なくとも１つの辞書データ又は前記サブネットにおいて既に観測されたトラフィックを代表するトラフィックデータを含むものと、
前記データに対する更新を受信するために前記サブネットに配置されているセントラルサーバーと通信するステップと、を含む方法。
【請求項２】
前記セントラルサーバーが、ＷＡＮ圧縮サーバーであって、前記終端が、ブランチ及びハブネットワークにおけるブランチサブネットのクライアントコンピューター又はブランチ及びハブネットワークにおけるハブサブネットのサーバーであることを特徴とする請求項１記載の方法。
【請求項３】
前記圧縮ステップが、状態を持たない圧縮又は状態を持つ圧縮の１つを使用して実行されることを特徴とする請求項１記載の方法。
【請求項４】
更に、前記傍受されたトラフィックを前記終端のローカルキャッシュに保持するステップを含む請求項１記載の方法。
【請求項５】
更に、前記保持されているトラフィックに対する署名を前記セントラルサーバーにアップロードするステップを含む請求項４記載の方法。
【請求項６】
更に、前記トラフィックが、前記ＷＡＮリンクを介しトランスポートされる前に、前記圧縮されたトラフィックを暗号化するステップを含む請求項１記載の方法。
【請求項７】
前記傍受するステップが、ＴＣＰ／ＩＰスタックを介し、実行されることを特徴とする請求項１記載の方法。
【請求項８】
前記暗号化ステップが、ＩＰｓｅｃを使用して実行されることを特徴とする請求項６記載の方法。
【請求項９】
前記更新が、前記サブネット内の前記終端に対する１つ以上のピアによって観測されたトラフィックを示す署名を含むことを特徴とする請求項１記載の方法。
【請求項１０】
前記更新が、前記セントラルサーバーにストアされている辞書データ又は署名データを含むことを特徴とする請求項１記載の方法。
【請求項１１】
前記サブネットにおいて既に観測された前記トラフィックが、前記終端に対するピア又は前記セントラルサーバーによって観測されることを特徴とする請求項１記載の方法。
【請求項１２】
更に、前記ネットワーク終端にキャッシュされているデータを使用してインバウンドトラフィックを解凍するステップであって、前記データが、少なくとも辞書データの１つ又は前記サブネットにおいて既に観測されたトラフィックを代表するトラフィックデータを含むもの、を含む請求項１記載の方法。
【請求項１３】
前記リモートサブネットにおけるリモート終端が、前記ネットワーク終端にヒントを送信し、前記ヒントが、事前にフェッチされる辞書データを示すように準備されていて、前記辞書データが、前記インバウンドトラフィックを解凍するために利用可能なもの、を特徴とする請求項１２記載の方法。
【請求項１４】
サーバーと終端との間のＷＡＮ最適化を分散するための方法であって、前記サーバーと終端が、ハブ及びブランチネットワークにおけるサブネットに配置されていて、
前記サーバー上のトラフィックデータベースに、前記サブネットに対する観測された入力フロー及び出力フローのトラフィックを示すデータをストアするステップと、
前記サーバー上のセントラル辞書ストアに、前記サブネットに対する入力フロー及び出力フローのトラフィックをそれぞれ、圧縮及び解凍するために前記終端によって利用可能な辞書をストアするステップと、
前記トラフィックデータベースの１つ又はセントラル辞書ストアから前記終端にデータ送信するステップであって、前記終端が、暗号化される前に、アウトバウンドトラフィックを圧縮するように準備されていて、更に、解読された後、インバウンドトラフィックを解凍するように準備されているものと、を含む方法。
【請求項１５】
更に、非暗号化トラフィックに対し、リモートサーバーへのトンネルを生成するステップを含む請求項１４記載の方法。
【請求項１６】
前記送信ステップが、前記終端からのリクエストに応答して実行されるか、又は前記サーバーから前記終端に対する更新として実行されることを特徴とする請求項１４記載の方法。
【請求項１７】
ハブとブランチとの間のＷＡＮリンクの性能を最適化するための、ハブ及びブランチネットワークのサブネット内に終端及びセントラルサーバーを含む装置によって実行される方法であって、
前記サブネットに対する入力及び出力のトラフィックフローを代表するトラフィックデータを、前記セントラルサーバー上のデータベースにストアするステップと、
前記終端のキャッシュにトラフィックデータをキャッシュするステップであって、前記キャッシュされているトラフィックデータが、前記データベースにストアされている前記トラフィックデータのサブセットであるものと、
前記キャッシュ中の前記トラフィックデータを前記データベースからのトラフィックデータを用いて定期的にリフレッシュするするステップと、
前記キャッシュされているトラフィックデータを使用して前記終端におけるアウトバンドトラフィック及びインバウンドトラフィックの圧縮及び解凍それぞれを最適化するステップと、を含む方法。
【請求項１８】
更に、前記終端におけるアウトバンドトラフィック及びインバウンドトラフィックをそれぞれ、圧縮及び解凍するために利用可能な１つ以上の辞書を、前記セントラルサーバー上の辞書ストアにストアするステップと、前記終端の辞書キャッシュに前記辞書のサブセットをキャッシュするステップと、前記キャッシュされている辞書のサブセットを使用して前記終端におけるインバウンドトラフィック及びアウトバンドトラフィックの圧縮及び解凍それぞれを最適化するステップと、を含む請求項１７記載の方法。
【請求項１９】
更に、前記キャッシュされている辞書のサブセットを前記辞書ストアからの辞書を用いて定期的にリフレッシュするステップを含む請求項１８記載の方法。
【請求項２０】
更に、前記キャッシュされている辞書のサブセット内の辞書を定期的に消去するステップであって、前記消去された辞書が、所定の閾値を満たす期間使用されなかったものであるもの、を含む請求項１８記載の方法。
【手続補正書】
【提出日】平成23年11月7日(2011.11.7)
【手続補正１】
【補正対象書類名】特許請求の範囲
【補正対象項目名】全文
【補正方法】変更
【補正の内容】
【特許請求の範囲】
【請求項１】
複数の蛇行バンドと複数のコネクタ列とを備えるステントであって、各蛇行バンドは交交互に配置された複数の直線状のバンドストラットおよび屈曲部を備え、隣接する蛇行バンドは、コネクタ列を越えて、複数のコネクタストラットによって接続されており、各コネクタストラットは、一端において一方の蛇行バンドの屈曲部に接続されており、他端において他方の蛇行バンドの屈曲部に接続されており、蛇行バンドの前記屈曲部は、コネクタストラットに接続された接続屈曲部と、コネクタストラットに接続されていない非接続屈曲部とを備え、
前記複数の蛇行バンドは、少なくとも一つの第１の蛇行バンドと、少なくとも一つの第２の蛇行バンドと、該第１及び第２の蛇行バンドの間に配置された移行バンドとを含み、
前記第１の蛇行バンドは、該蛇行バンドを横断するときに、接続屈曲部間に延びる三つのバンドストラットと、次いで五つのバンドストラットとからなる反復パターンを備え、
前記第２の蛇行バンドは、該蛇行バンドを横断するときに、接続屈曲部間に延びる三つのバンドストラットと、次いで一つのバンドストラットとからなる反復パターンを備え、
前記移行バンドは、該蛇行バンドを横断するときに、四つのバンドストラットと、前記第１の蛇行バンドに接続された接続屈曲部と、三つのバンドストラットと、前記第２の蛇行バンドに接続されたコネクタストラットに接続された接続屈曲部と、一つのバンドストラットとからなる反復パターンを備え、
前記各コネクタストラットは、隣接する蛇行バンドの二つの接続屈曲部間に直線的にそれぞれ接続され、該コネクタストラットの接続される二つの接続屈曲部はステントの軸方向と直交する方向に互いに偏倚している、ステント。
【請求項２】
複数の蛇行バンドと複数のコネクタ列とを備えるステントであって、各蛇行バンドは交互に配置された複数の直線バンドストラットおよび屈曲部を備え、隣接する蛇行バンドは、コネクタ列を越えて、複数のコネクタストラットによって接続されており、各コネクタストラットは、一端において一方の蛇行バンドの屈曲部に接続されており、他端において他方の蛇行バンドの屈曲部に接続されており、蛇行バンドの屈曲部は、コネクタストラットに接続された接続屈曲部と、コネクタストラットに接続していない非接続屈曲部とを備え、
前記複数の蛇行バンドは、少なくとも一つの第１の蛇行バンドと、少なくとも一つの第２の蛇行バンドと、該第１及び第２の蛇行バンドの間に配置された移行バンドとを含み、
前記第１の蛇行バンドは、該蛇行バンドを横断するときに、接続屈曲部間に延びる三つのバンドストラットからなる反復パターンを備え、かつ、
前記第２の蛇行バンドは、該蛇行バンドを横断するときに、接続屈曲部間に延びる三つのバンドストラットと、次いで一つのバンドストラットとからなる反復パターンを備え、
前記移行バンドは、該蛇行バンドを横断するときに、四つのバンドストラットと、前記第１の蛇行バンドに接続された接続屈曲部と、三つのバンドストラットと、前記第２の蛇行バンドに接続されたコネクタストラットに接続された接続屈曲部と、一つのバンドストラットとからなる反復パターンを備え、
前記各コネクタストラットは、隣接する蛇行バンドの二つの接続屈曲部間に直線的にそれぞれ接続され、該コネクタストラットの接続される二つの接続屈曲部はステントの軸方向と直交する方向に互いに偏倚している、ステント。
【請求項３】
前記複数の蛇行バンドは少なくとも一つの第３の蛇行バンドを備え、該第３の蛇行バンドは、接続屈曲部間に延びる三つのバンドストラットと、次いで五つのバンドストラットとからなる反復パターンを備える、請求項１又は２に記載のステント。
【請求項４】
前記複数の蛇行バンドは少なくとも一つの第３の蛇行バンドを備え、該第３の蛇行バンドは、接続屈曲部間に延びる三つのバンドストラットの反復パターンを備える、請求項２に記載のステント。
【請求項５】
前記複数の蛇行バンドは少なくとも一つの第３の蛇行バンドを備え、該第３の蛇行バンドは、接続屈曲部間に延びる三つのバンドストラットと、次いで一つのバンドストラットとからなる反復パターンを備える、請求項１又は２に記載のステント。
【請求項６】
第１長さ部分および第２長さ部分を備え、前記第１長さ部分に位置するコネクタ列は、前記第２長さ部分に位置するコネクタ列よりも多くのコネクタストラットを備える、請求項１又は２に記載のステント。
【請求項７】
前記第１長さ部分に位置する各コネクタ列は、前記第２長さ部分に位置する各コネクタ列よりも多くのコネクタストラットを備える、請求項６に記載のステント。
【請求項８】
前記第１長さ部分は少なくとも二つのコネクタ列を備える、請求項７に記載のステント。
【請求項９】
前記コネクタ列は第１コネクタ列および第２コネクタ列を備え、前記第１コネクタ列のコネクタストラットは互いに平行であり、前記第２コネクタ列のコネクタストラットは前記第１コネクタ列の前記コネクタストラットに対して非平行である、請求項１又は２に記載のステント。
【請求項１０】
第１コネクタ列および第２コネクタ列は、前記ステントの長さに沿って交互に位置する、請求項９に記載のステント。
【請求項１１】
各蛇行バンドの前記屈曲部は交互に位置する基端側の山と先端側の谷を備え、一つの蛇行バンドの前記基端側の山は、ステントの軸線方向において、隣接する蛇行バンドの前記先端側の谷と整合されている、請求項１又は２に記載のステント。
【手続補正書】
【提出日】平成23年7月15日(2011.7.15)
【手続補正１】
【補正対象書類名】特許請求の範囲
【補正対象項目名】全文
【補正方法】変更
【補正の内容】
【特許請求の範囲】
【請求項１】
ｉ）配列番号１に示される核酸配列、
ｉｉ）配列番号２に示される核酸配列、
ｉｉｉ）配列番号３に示される核酸配列、
ｉｖ）配列番号４に示される核酸配列、または
ｖ）厳密なハイブリダイゼーション条件下で、配列番号１、配列番号２、配列番号３もしくは配列番号４にハイブリダイズする核酸配列を含む核酸分子
から選択され、成長ホルモン受容体アゴニスト活性を有するポリペプチドをコードする核酸配列を含む核酸分子。
【請求項２】
請求項１に記載の核酸分子によりコードされるポリペプチド。
【請求項３】
ｉ）配列番号５に示されるアミノ酸配列、
ｉｉ）配列番号６に示されるアミノ酸配列、
ｉｉｉ）配列番号７に示されるアミノ酸配列、
ｉｖ）配列番号８に示されるアミノ酸配列、
ｖ）配列番号９に示されるアミノ酸配列、
ｖｉ）配列番号１０に示されるアミノ酸配列、
ｖｉｉ）配列番号１１に示されるアミノ酸配列、
ｖｉｉｉ）配列番号１２に示されるアミノ酸配列
から選択されるアミノ酸配列を含むポリペプチドであって、成長ホルモン受容体アゴニスト活性を有するポリペプチド。
【請求項４】
配列番号５、６、７、８、９、１０、１１又は１２を含む２つのポリペプチドを含むホモ二量体。
【請求項５】
請求項１に記載の核酸分子を含むベクター。
【請求項６】
請求項５に記載のベクターでトランスフェクトまたは形質転換された細胞。
【請求項７】
真核細胞である、請求項６に記載の細胞。
【請求項８】
原核細胞である、請求項６に記載の細胞。
【請求項９】
賦形剤または担体を含み、請求項３に記載のポリペプチドを含む医薬品組成物。
【請求項１０】
成長ホルモン欠損症の治療用である、請求項９に記載の医薬品組成物。
【請求項１１】
前記組成物が２日の間隔で投与される、請求項９又は１０に記載の医薬品組成物。
【請求項１２】
前記組成物が１週間間隔で投与される、請求項９又は１０に記載の医薬品組成物。
【請求項１３】
前記組成物が２週間間隔で投与される、請求項９又は１０に記載の医薬品組成物。
【請求項１４】
前記組成物が１カ月間隔で投与される、請求項９又は１０に記載の医薬品組成物。
【請求項１５】
前記成長ホルモン欠損症が小児期成長ホルモン欠損症又は成人成長ホルモン欠損症である、請求項１０〜１４のいずれか一項に記載の医薬品組成物。
【手続補正書】
【提出日】平成23年2月15日(2011.2.15)
【手続補正１】
【補正対象書類名】特許請求の範囲
【補正対象項目名】全文
【補正方法】変更
【補正の内容】
【特許請求の範囲】
【請求項１】
水溶液中にて生物の生物学的特性を変化させるための方法であって、
（a）水溶液を第１電極装置と電気的に接触させること；
（b）非物理的方法にて水溶液を第２電極装置と電気的に接触させること；ならびに
（c）第１および第２電極装置の間に電流を流し、水溶液中に電場を確立すること；
のステップを含む方法。
【請求項２】
生物学的特性が、増殖、生存能力、再生能力、細胞周期のタイミング、栄養素を吸収する能力、生物の細胞膜または細胞壁の完全性または透過性、浮力および運動性からなる群から選択される、請求項１記載の方法。
【請求項３】
増殖が増加した増殖速度である、請求項２記載の方法。
【請求項４】
細胞周期のタイミングが生物集団における細胞周期の同調化または生物細胞における胞子形成の同調化である、請求項２記載の方法。
【請求項５】
生物の細胞膜または細胞壁の完全性の変化が細胞を溶解し、または細胞のエレクトロポレーションをもたらす、請求項２記載の方法。
【請求項６】
生物が細菌または藻類である、請求項１記載の方法。
【請求項７】
第１電極装置が陰極であり、第２電極装置が陽極である、請求項１記載の方法。
【請求項８】
第２電極装置が地面と接触する、請求項１記載の方法。
【請求項９】
第２電極装置が、水溶液から離れた接地棒を含む、請求項８記載の方法。
【請求項１０】
第２電極装置が水溶液を入れる容器の壁の少なくとも一部を含む、請求項１記載の方法。
【請求項１１】
第１電極装置が非伝導性ハウジングおよびその中の電極を含み、ハウジングが水溶液の流れのために導管を供給し、それを通して水溶液が電極と接触する、請求項１記載の方法。
【請求項１２】
第１電極装置が水溶液中に浸した電極メッシュ、ロッドまたはプレートである、請求項１記載の方法。
【請求項１３】
第１または第２電極が、
非伝導性ハウジング；
ハウジング内に配置された１つ以上の電極；
水溶液の通路のためのハウジング内の入口および出口であり、それを通して水溶液が各電極と接触する入口および出口；ならびに
各電極を電源へ接続するために形成されたコネクタ；
を含む、請求項１記載の方法。
【請求項１４】
電極装置が、ハウジングを通じて酸化体の流れを受容するための開口部をさらに含む、請求項１記載の方法。
【請求項１５】
電極装置の非伝導性ハウジングが、プラスチック材料またはポリ塩化ビニルから作成された１つ以上のチューブを含む、請求項１３記載の方法。
【請求項１６】
電極装置の各電極が、それぞれのチューブ内に取り付けられる、請求項１記載の方法。
【請求項１７】
電極がそれぞれのチューブ内で実質的に同軸上に取り付けられる、請求項１６記載の方法。
【請求項１８】
電極装置が、互いに流体連結した２つ以上のチューブを含み、水溶液が１つのチューブの出口から隣接するチューブの入口へ流れる、請求項１記載の方法。
【請求項１９】
チューブが直径dであり、入口および出口の１つを含む開口端を有し、チューブ開口端が約4dの距離まで電極を越えて伸びる、請求項１８記載の方法。
【請求項２０】
請求項１記載の方法に従って産生される生物。
【手続補正書】
【提出日】平成23年7月4日(2011.7.4)
【手続補正１】
【補正対象書類名】特許請求の範囲
【補正対象項目名】全文
【補正方法】変更
【補正の内容】
【特許請求の範囲】
【請求項１】
未知の試料を試験するためのシステムであって、
前記未知の試料を複数のアッセイに対して試験するためのアッセイパラメータ情報が保存されているポータブル検出ユニットと、
更新済みアッセイパラメータ情報を前記ポータブル検出ユニットに提供するリモートサーバと、を備えるシステム。
【請求項２】
未知の試料を試験するためのシステムであって、
消耗品上での反応に特有のデータが保存されているポータブル検出ユニットと、
更新済みデータを前記ポータブル検出ユニットに提供するリモートサーバと、を備えるシステム。
【請求項３】
前記ポータブル検出ユニットが、前記リモートサーバと無線通信するための無線送受信機を備える、請求項１または２に記載のシステム。
【請求項４】
前記ポータブル検出ユニットが、前記ポータブル検出ユニットのスイッチが入ると前記リモートサーバに通知する手段をさらに備える、請求項１〜３のいずれかに記載のシステム。
【請求項５】
前記リモートサーバが、保存されている現在のアッセイパラメータ情報が前記ポータブル検出ユニットに保存された前記アッセイパラメータ情報と異なるかどうかを決定し、異なる場合に前記現在のアッセイパラメータ情報を前記ポータブル検出ユニットに出力するための手段を備える、請求項１に記載のシステム。
【請求項６】
前記リモートサーバが、保存されている現在のデータが前記ポータブル検出ユニットに保存されたサイクリングデータと異なるかどうかを決定し、異なる場合に前記現在のサイクリングデータを前記ポータブル検出ユニットに出力するための手段を備える、請求項２に記載のシステム。
【請求項７】
未知の試料を試験するためのポータブル検出ユニットであって、
前記未知の試料を複数のアッセイに対して試験するための、前記複数のアッセイのそれぞれのための最低溶融温度を含むアッセイパラメータ情報が保存されているメモリと、
前記ポータブル検出ユニットの海面に対する現在の高度を決定するように構成された高度決定ユニットと、
前記複数のアッセイのための溶融温度を前記ポータブル検出ユニットの前記現在の高度に基づいて再計算するように構成された融解温度再計算ユニットと
備えるポータブル検出ユニット。
【請求項８】
未知の試料を試験する方法であって、
前記未知の試料を複数のアッセイに対して試験するためのアッセイパラメータ情報をポータブル検出ユニットに保存する工程と、
更新済みアッセイパラメータ情報をリモートサーバによって前記ポータブル検出ユニットに提供する工程と、を含む方法。
【請求項９】
未知の試料を試験する方法であって、
ポータブル検出ユニットに、消耗品上での反応に特有のサイクリングデータを保存する工程と、
リモートサーバによって、更新済みサイクリングデータを前記ポータブル検出ユニットに提供する工程と、を含む方法。
【請求項１０】
前記提供するステップが、前記リモートサーバから前記ポータブル検出ユニットに無線で伝達する工程を含む、請求項８または９に記載の方法。
【請求項１１】
前記ポータブル検出ユニットによって、前記ポータブル検出ユニットのスイッチが入れられたかどうかを前記リモートサーバに通知する工程をさらに有する、請求項８〜１０のいずれかに記載の方法。
【請求項１２】
前記リモートサーバによって、保存されている現在のアッセイパラメータ情報が前記ポータブル検出ユニットに保存された前記アッセイパラメータ情報と異なるかどうかを決定し、異なる場合に前記現在のアッセイパラメータ情報を前記ポータブル検出ユニットに出力する工程をさらに含む、請求項８に記載の方法。
【請求項１３】
前記リモートサーバによって、保存されている現在のサイクリングデータが前記ポータブル検出ユニットに保存された前記サイクリングデータと異なるかどうかを決定し、異なる場合に前記現在のサイクリングデータを前記ポータブル検出ユニットに出力する工程をさらに含む、請求項９に記載の方法。
【請求項１４】
未知の試料をポータブル検出ユニットによって試験する方法であって、
メモリに、前記未知の試料を複数のアッセイに対して試験するための、前記複数のアッセイのそれぞれのための最低溶融温度を含むアッセイパラメータ情報を保存する工程と、
前記ポータブル検出ユニットの海面に対する現在の高度を決定する工程と、
前記決定するステップによって決定された前記ポータブル検出ユニットの前記現在の高度に基づいて、前記複数のアッセイのための前記溶融温度を再計算する工程と
を含む方法。
【請求項１５】
メモリ又はバーコードを備えるポータブル検出ユニットで使用するための消耗品であって、前記メモリ又は前記バーコードがアッセイを実行するための情報を含む、消耗品。
【請求項１６】
未知の試料を試験するためのシステムであって、
未知の試料を少なくとも１つのアッセイを用いて試験するためのポータブル検出ユニットと、
前記アッセイを実行するための情報を有する消耗品と、を備え、
前記ポータブル検出ユニットが、前記消耗品上に保存された前記情報を読み取ることができる、システム。
【請求項１７】
未知の試料を試験するためのシステムであって、
試料を試験するための少なくとも２つのアッセイを実行することができるポータブル検出ユニットであって、前記少なくとも２つのアッセイが同じアッセイタイプ又は異なるアッセイタイプのものとすることができる、ポータブル検出ユニットと、
前記検出ユニットを制御するソフトウェア又はファームウェアと、を備えるシステム。
【手続補正書】
【提出日】平成23年6月27日(2011.6.27)
【手続補正１】
【補正対象書類名】特許請求の範囲
【補正対象項目名】請求項２
【補正方法】変更
【補正の内容】
【請求項２】
前記各命令はさらに、当該命令が有効かどうかを示す有効性情報を有し、
前記方法はさらに、
前記有効性情報を前記制御回路に提供する工程と、
命令に関する前記有効性情報が、前記命令が有効ではないことを示すかどうかを判断する工程と、
前記有効性情報が有効ではない命令であることを示すなら、前記搬送波クロック信号の変調を不能にする工程とを有することを特徴とする請求項１に記載の方法。
【手続補正２】
【補正対象書類名】特許請求の範囲
【補正対象項目名】請求項４
【補正方法】変更
【補正の内容】
【請求項４】
前記制御回路はカウンタを含み、
前記パルス継続時間と前記データクロック信号とは前記カウンタに供給され、
前記制御回路は、前記カウンタが前記示された長さの時間に等しい時間のカウントを実行した後、前記ＦＩＦＯバッファに前記順番で次の命令をロードさせることを特徴とする請求項１に記載の方法。
【手続補正３】
【補正対象書類名】特許請求の範囲
【補正対象項目名】請求項８
【補正方法】変更
【補正の内容】
【請求項８】
前記制御回路はカウンタを含み、
パルス継続時間に対応する前記情報は、前記パルス継続時間の値であり、
前記パルス継続時間の値と前記データクロック信号とは前記カウンタに供給され、
前記制御回路は、前記カウンタが前記示された長さの時間に等しい時間のカウントを実行した後、前記ＦＩＦＯバッファに前記順番で次の命令をロードさせることを特徴とする請求項５に記載の赤外線信号の発生装置。
【手続補正４】
【補正対象書類名】特許請求の範囲
【補正対象項目名】請求項９
【補正方法】変更
【補正の内容】
【請求項９】
前記制御回路はカウンタを含み、
パルス継続時間の値を格納するメモリのロケーションへの各時刻のパルス継続時間の長さに対応する前記情報と、前記パルス継続時間と、前記データクロック信号とは前記カウンタに供給され、
前記制御回路は、前記カウンタが前記示された長さの時間に等しい時間のカウントを実行した後、前記ＦＩＦＯバッファに前記順番で次の命令をロードさせることを特徴とする請求項５に記載の赤外線信号の発生装置。
【手続補正書】
【提出日】平成23年7月15日(2011.7.15)
【手続補正１】
【補正対象書類名】特許請求の範囲
【補正対象項目名】請求項１３
【補正方法】変更
【補正の内容】
【請求項１３】
請求項１から１０までのいずれか１項記載の耐摩耗性でかつ流動性のグリコシアミンを含有する成形体の製造法において、グリコシアミン及び水の組成物を押出成形し、次いで、得られた押出物を乾燥させることにより前記成形体が得られることを特徴とする方法。